(57)【要約】【課題】各遊技者毎の正確な遊技履歴を収集することが可能な遊技用システムを提供すること。【解決手段】会員カードへの入金機能、会員カードによる貸出機能、現金の受付による入金貸出機能、を備えるカードユニット３と、会員遊技者別の遊技履歴を記憶する会員管理データベースを備える会員管理コンピュータ１２０と、から構成される。カードユニット３は、会員カードを受付けたときに対応するパチンコ機２の遊技の開始を判定し、受付けた会員カードが返却された後、他の会員カードを受付けたとき、または入金貸出のために現金を受付けたとき、に遊技の終了を判定し、遊技の開始から終了までに対応するパチンコ機２から出力された遊技情報を集計して遊技履歴を作成し、遊技開始時に受付けていた会員カードの会員ＩＤとともに、会員管理コンピュータ１２０に対して送信する。会員管理コンピュータ１２０は、カードユニット３から送信された会員ＩＤと遊技履歴とを対応付けて会員管理データベースに記憶する。【選択図】　　図１
2004105500.tif 000002
【特許請求の範囲】
【請求項１】
遊技機に対応して設けられ、遊技者を特定可能な遊技者特定情報及び遊技に使用可能な遊技用有価価値の大きさを特定可能な情報が記録された記録媒体を受付けて該記録媒体の記録情報を読み出す読み出し手段と、貨幣を受付ける貨幣受付手段と、前記記録媒体の受付中に貨幣を受付けたときに、該受付けた貨幣の金額に相当する前記遊技用有価価値の大きさを前記受付中の記録媒体から読み出された記録情報により特定される前記遊技用有価価値の大きさに加算する処理を行う価値加算手段と、前記記録媒体から読み出された記録情報により特定される遊技用有価価値の大きさの範囲内における所定の大きさの前記遊技用有価価値を対応する遊技機の遊技に使用させるための処理を行う第１の使用処理手段と、前記記録媒体の受付中以外に貨幣を受付けたときに、該受付けた貨幣の金額に相当する大きさの前記遊技用有価価値を対応する遊技機の遊技に使用させるための処理を行う第２の使用処理手段と、を備える遊技用装置と、
前記遊技用装置において前記記録媒体が受付けられたときに、対応する遊技機における遊技の開始を判定する遊技開始判定手段と、
前記遊技用装置において受付中の記録媒体が返却された後、該返却された記録媒体と異なる遊技者特定情報が記録された記録媒体が受付けられたとき、または前記受付中の記録媒体が返却された後、前記記録媒体が受付けられる前に貨幣が受付けられたとき、に対応する遊技機における遊技の終了を判定する遊技終了判定手段と、
前記遊技開始判定手段が前記遊技機における遊技の開始を判定してから前記遊技終了判定手段が遊技の終了を判定するまでの期間に該遊技機における遊技に関連して発生した遊技関連情報を取得し、該取得した遊技関連情報を、その期間に前記遊技用装置において受付けられた前記記録媒体から読み出された前記遊技者特定情報と対応付けて記憶する遊技者関連情報記憶手段を備える管理装置と、
を備えることを特徴とする遊技用システム。
【請求項２】
前記遊技用装置は、対応する遊技機の前記遊技関連情報を受信する遊技関連情報受信手段と、該遊技関連情報受信手段にて受信した前記遊技関連情報を前記管理装置に対して送信する遊技関連情報送信手段と、を備える請求項１に記載の遊技用システム。
【請求項３】
遊技者関連情報記憶手段は、前記遊技開始判定手段が前記遊技機における遊技の開始を判定してから前記遊技終了判定手段が遊技の終了を判定するまでの期間に前記遊技用装置の前記第１の使用処理手段により遊技に使用された前記遊技用有価価値の大きさを前記遊技関連情報として取得し、その期間に前記遊技用装置において受付けられた前記記録媒体から読み出された前記遊技者特定情報と対応付けて記憶する請求項１または２に記載の遊技用システム。
【請求項４】
遊技者関連情報記憶手段は、前記遊技開始判定手段が前記遊技機における遊技の開始を判定してから前記遊技終了判定手段が遊技の終了を判定するまでの遊技時間を前記遊技関連情報として取得し、その期間に前記遊技用装置において受付けられた前記記録媒体から読み出された前記遊技者特定情報と対応付けて記憶する請求項１〜３のいずれかに記載の遊技用システム。
【請求項５】
前記管理装置は、前記遊技開始判定手段が前記遊技機における遊技の開始を判定してから前記遊技終了判定手段が遊技の終了を判定するまでの時間のうち、前記遊技用装置において前記記録媒体が受付けられてから、該記録媒体が返却されるまでの受付時間が所定値に到達した場合に、所定の来店価値を付与する来店価値付与手段を備える請求項１〜４のいずれかに記載の遊技用システム
【請求項６】
前記管理装置は、前記所定値を設定変更する設定手段を備える請求項５に記載の遊技用システム
【発明の詳細な説明】
【０００１】
【発明の属する技術の分野】
本発明は、遊技者を特定可能な情報が記録された記録媒体を受付ける遊技用装置と、遊技者毎の遊技関連情報を収集する管理装置と、からなる遊技用システムに関する。
【０００２】
【従来の技術】
従来から、予め会員登録した遊技者に対して会員カード等、当該遊技者を特定可能なＩＤが記録された記録媒体を発行し、この記録媒体が、遊技機に並設して設けられる台間ユニット等の遊技用装置に受付けられることで、遊技場や遊技機に関する情報を提供したり、遊技者が貯蓄した遊技媒体、いわゆる貯玉の払戻を受けられるサービス等を提供する遊技用システムがある。
【０００３】
この種の遊技用システムには、各遊技者の遊技履歴を収集し、その遊技履歴をホール経営に役立てたいといった要望から、各遊技機における遊技の開始と終了を判定し、その期間に収集された遊技に関連して発生する遊技関連情報（稼働情報；始動回数や大当回数、差玉等の情報）と、対応する遊技用装置にて受付けられた記録媒体より読み出されたＩＤと、を対応付けて記憶することで、各遊技者毎の遊技履歴を収集できるようにしたものが考案されている（例えば、特許文献１参照）。
【０００４】
【特許文献１】
特開平１０−３０５１５１号公報
【０００５】
【発明が解決しようとする課題】
これら各遊技者毎の遊技履歴をホール経営に役立てるためには、より正確な遊技履歴を収集する必要があるが、上述のような遊技用システムでは、各遊技機における遊技の開始と終了の判定が曖昧であるため、各遊技者毎の正確な遊技履歴を収集することができないという問題があった。
【０００６】
よって、本発明は上記した問題点に着目してなされたもので、各遊技者毎の正確な遊技履歴を収集することが可能な遊技用システムを提供することを目的としている。
【０００７】
【課題を解決するための手段】
前記した問題を解決するために、本発明の遊技用システムは、遊技機に対応して設けられ、遊技者を特定可能な遊技者特定情報及び遊技に使用可能な遊技用有価価値の大きさを特定可能な情報が記録された記録媒体を受付けて該記録媒体の記録情報を読み出す読み出し手段と、貨幣を受付ける貨幣受付手段と、前記記録媒体の受付中に貨幣を受付けたときに、該受付けた貨幣の金額に相当する前記遊技用有価価値の大きさを前記受付中の記録媒体から読み出された記録情報により特定される前記遊技用有価価値の大きさに加算する処理を行う価値加算手段と、前記記録媒体から読み出された記録情報により特定される遊技用有価価値の大きさの範囲内における所定の大きさの前記遊技用有価価値を対応する遊技機の遊技に使用させるための処理を行う第１の使用処理手段と、前記記録媒体の受付中以外に貨幣を受付けたときに、該受付けた貨幣の金額に相当する大きさの前記遊技用有価価値を対応する遊技機の遊技に使用させるための処理を行う第２の使用処理手段と、を備える遊技用装置と、
前記遊技用装置において前記記録媒体が受付けられたときに、対応する遊技機における遊技の開始を判定する遊技開始判定手段と、
前記遊技用装置において受付中の記録媒体が返却された後、該返却された記録媒体と異なる遊技者特定情報が記録された記録媒体が受付けられたとき、または前記受付中の記録媒体が返却された後、前記記録媒体が受付けられる前に貨幣が受付けられたとき、に対応する遊技機における遊技の終了を判定する遊技終了判定手段と、
前記遊技開始判定手段が前記遊技機における遊技の開始を判定してから前記遊技終了判定手段が遊技の終了を判定するまでの期間に該遊技機における遊技に関連して発生した遊技関連情報を取得し、該取得した遊技関連情報を、その期間に前記遊技用装置において受付けられた前記記録媒体から読み出された前記遊技者特定情報と対応付けて記憶する遊技者関連情報記憶手段を備える管理装置と、
を備えることを特徴としている。
この特徴によれば、記録媒体を所有する遊技者が遊技を行う場合には、記録媒体の記録情報により特定される遊技用有価価値を使用して遊技を行うこととなり、遊技を開始する場合には、記録媒体が受付けられることとなるため、記録媒体を受付けたときが遊技の開始と判定できる。また、受付けた記録媒体が返却された後、異なる遊技者特定情報が記録された記録媒体を受付けた場合に、その時点で返却された記録媒体を所有する遊技者による遊技の終了を判定できる。また、受付けた記録媒体が返却された後、記録媒体を受付けずに貨幣を受付けた場合、すなわち記録媒体を所有しない遊技者が遊技を行った場合にも、その時点で返却された記録媒体を所有する遊技者による遊技の終了を判定できる。これらの理由から、記録媒体を所有する遊技者の遊技の開始及び終了を正確に判定できることとなり、遊技の開始から終了までの遊技関連情報を記録媒体から読み出された遊技者特定情報に対応付けて記憶することで、記録媒体を所有する遊技者毎に正確な遊技履歴を収集することができる。
【０００８】
本発明の遊技用システムの前記遊技用装置は、対応する遊技機の前記遊技関連情報を受信する遊技関連情報受信手段と、該遊技関連情報受信手段にて受信した前記遊技関連情報を前記管理装置に対して送信する遊技関連情報送信手段と、を備えることが好ましい。
このようにすれば、各遊技機の遊技関連情報が対応する遊技用装置により収集され、管理装置に対して出力されることとなり、管理装置では、同一のシステムから遊技関連情報を取得することが可能となるため、例えば、管理装置が遊技関連情報を既設のホールコンピュータ等から取得する場合に比較してシステムの構成を簡素化できる。
【０００９】
本発明の遊技用システムの遊技者関連情報記憶手段は、前記遊技開始判定手段が前記遊技機における遊技の開始を判定してから前記遊技終了判定手段が遊技の終了を判定するまでの期間に前記遊技用装置の前記第１の使用処理手段により遊技に使用された前記遊技用有価価値の大きさを前記遊技関連情報として取得し、その期間に前記遊技用装置において受付けられた前記記録媒体から読み出された前記遊技者特定情報と対応付けて記憶することが好ましい。
このようにすれば、使用金額の多い遊技者、すなわち優良顧客を把握できるため、例えば、使用金額の多い遊技者に対してそれに見合った適切なサービスを提供することが可能となり、優良顧客の固定客化を図ることができる。
【００１０】
本発明の遊技用システムの遊技者関連情報記憶手段は、前記遊技開始判定手段が前記遊技機における遊技の開始を判定してから前記遊技終了判定手段が遊技の終了を判定するまでの遊技時間を前記遊技関連情報として取得し、その期間に前記遊技用装置において受付けられた前記記録媒体から読み出された前記遊技者特定情報と対応付けて記憶することが好ましい。
このようにすれば、遊技時間の長い遊技者、すなわち優良顧客を把握できるため、例えば、遊技時間の長い遊技者に対してそれに見合った適切なサービスを提供することが可能となり、優良顧客の固定客化を図ることができる。
【００１１】
本発明の遊技用システムの前記管理装置は、前記遊技開始判定手段が前記遊技機における遊技の開始を判定してから前記遊技終了判定手段が遊技の終了を判定するまでの時間のうち、前記遊技用装置において前記記録媒体が受付けられてから、該記録媒体が返却されるまでの受付時間が所定値に到達した場合に、所定の来店価値を付与する来店価値付与手段を備えることが好ましい。
このようにすれば、記録媒体を所有する遊技者に対してより付加価値の高いサービスを提供できるうえに、記録媒体を受付けた状態で遊技を行うことの動機付けにもなるため、より正確に遊技の開始及び終了を判定することができる。
【００１２】
本発明の遊技用システムの前記管理装置は、前記所定値を設定変更する設定手段を備えることが好ましい。
このようにすれば、来店価値が付与されるのに必要な時間を遊技場側で任意に設定できる。
【００１３】
【発明の実施の形態】
図１は本発明の第１の実施例としての遊技用システムの構成を示す図であり、この遊技用システムは、遊技場において複数配置された遊技島に並設される遊技機としてのカードリーダ式パチンコ機（以下パチンコ機）２に対して１対１に設置される遊技用装置としてのカードユニット３と、遊技場の所定箇所に設置され、後述の会員カード（記録媒体）並びにビジターカードの管理等を行うシステムコントローラ１００と、会員カードを所有する会員遊技者の情報等を管理する管理装置としての会員管理コンピュータ１２０と、から主に構成されており、システムコントローラ１００並びに会員管理コンピュータ１２０とカードユニット３とはハブ（ＨＵＢ）８’（図３参照）並びに通信ケーブル８を介してデータ通信可能に接続されているとともに、システムコントローラ１００と会員管理コンピュータ１２０とは通信ケーブル１０を介してデータ通信可能に接続されている。また、システムコントローラ１００は、通信回線網１１を介して図示しないカード管理会社に設置された管理サーバとデータ通信可能に接続されている。尚、図１に示す９は、遊技場の所定箇所に設置され、会員カードを受付けて種々の情報を閲覧可能なデータ表示装置９であり、通信ケーブル８を介して会員管理コンピュータ１２０とデータ通信可能に接続されている。
【００１４】
初めに、本実施例にて用いた記録媒体について説明すると、本実施例では予め会員登録をした会員遊技者に対して発行される会員カードと、カードユニット３に装着されているビジターカードと、の２種類のＩＣカードを記録媒体として用いており、このうち会員カードが本発明の記録媒体に該当する。
【００１５】
まず、本発明の記録媒体としての会員カードについて説明すると、この会員カードには、カードユニット３内に設けられている後述のカードリーダライタ３２７と非接触にてデータ通信を行うことが可な非接触式ＩＣカードが適用されており、その内部メモリには、各会員カードを個別に識別可能なカードＩＤや遊技者特定情報としての会員ＩＤ、カードユニット３とシステムコントローラ１００との通信がオフライン状態の場合に使用されるセキュリティー情報等が書き換え不可に記録されているとともに、カードリーダライタ３２７とのデータ通信により、パチンコ玉の貸出に使用される度数等の情報が書き換え可能に記録される。
【００１６】
次いで、ビジターカードについて説明すると、このビジターカードも会員カードと同様に非接触式ＩＣカードが適用されており、その内部メモリには、各ビジターカードを個別に識別可能なカードＩＤ等が書き換え不可に記録されているとともに、前述したカードリーダライタ３２７とのデータ通信により、パチンコ玉の貸出に使用される度数や装着されているカードユニット３の装置ＩＤ等の情報が書き換え可能に記録される。
【００１７】
次いで、本実施例の遊技用装置であるカードユニット３について説明すると、このカードユニット３は、前述のように遊技島に並設される遊技機としてのパチンコ機２に１対１に対応して設置される。
【００１８】
カードユニット３の前面には、図２に示すように、各種表示部や操作ボタン、紙幣挿入口３０２、硬貨投入口３０３、硬貨返却口３１３、会員カード挿入口３１９、ビジターカード装着口３１８が設けられている。
【００１９】
カードユニット３の前面に設けられる表示部のうち、多機能表示部３０１は、内部に設けられた多機能ＬＥＤ３０１ａの発光態様によりカードユニット３の動作状況等が報知される。本実施例では、多機能表示部３０１が、消灯、青色点灯、青色点滅、赤色点灯、赤色点滅、緑色点灯、緑色点滅、紫色点灯、紫色点滅、水色点灯、水色点滅、黄色点灯、黄色点滅、白色点灯、白色点滅からなる、合計７色、１５態様（消灯含む）の発光態様により各状況が報知される。
【００２０】
このように本実施例では、多機能表示部３０１の発光色や点灯状況等の発光態様を変化させることで複数の状況を報知することが可能とされており、別個の表示部を設ける場合に比較して、カードユニット３の限られたスペースを有効に活用できるようになっている。尚、本実施例では、発光態様として発光色と点灯状況（点灯または点滅）の変化を例示しているが、例えば、異なる複数の色を交互に発光させる等、規則的に発光色を変化させるようにしても良い。
【００２１】
また、カードユニット３の前面に設けられた表示部のうち、変更可能表示部３０５は、後述する貸出処理における貸出単位（１回の貸出操作で使用される度数の大きさ）の変更が可能である場合にその内部に設けられた変更可能ＬＥＤ３０５ａ（図３参照）が点灯する。貸出単位表示部３０７は、前述した貸出単位が内蔵された貸出単位表示器３０７ａ（図３参照）により表示される表示部であり、度数表示部３０９は、会員カードやビジターカードから読み出された度数やエラーコード等が内蔵された度数表示器３０９ａ（図３参照）により表示される表示部である。方向指示表示部３１１は、対応する遊技機の連結方向を示す表示部であり、遊技機と接続されている場合に内部に設けられた方向指示ＬＥＤ３１１ａ（図３参照）が点灯する。挿入中表示部３１２は、会員カードが挿入中である場合に内部に設けられた挿入中ＬＥＤ３１２ａ（図３参照）が点灯する。会員カード用表示部３１４は、受付中の会員カードから特定される貯蓄玉数に基づく再プレイ可能回数等の情報が内蔵された会員カード用表示器３１４ａ（図３参照）により表示される表示部である。
【００２２】
また、カードユニット３の前面に設けられたボタンのうち、硬貨返却ボタン３０４は、硬貨投入口３０３から投入された硬貨が詰まった場合等において、硬貨を返却させる際に押圧するボタンである。貸出単位変更ボタン３０６は、貸出単位を変更する際に押圧するボタンである。端数ボタン３０８は、度数表示部３０９の表示内容を変更表示させる際に押圧するボタンである。テンキー３１５は、暗証番号等の入力を行う際に操作するキーである。プレイ選択ボタン３１６は、度数を用いて遊技を実施するか、若しくは貯蓄玉数を用いて遊技を実施するかを選択する際に押圧するボタンである。エンターボタン３１７は、暗証番号を決定する場合や貯蓄玉数の払戻を実施する際に押圧するボタンである。
【００２３】
また、会員カード挿入口３１９とビジターカード装着口３１８とは、遊技者から見て左右に並設配置されている。会員カード挿入口３１９は、内蔵されるカードリーダライタ３２７（図３参照）の会員カードスロット（図示略）に連設されており、この会員カード挿入口３１９を介して会員カードを会員カードスロットに挿入可能とされている。また、ビジターカード装着口３１８は、カードリーダライタ３２７のビジターカード収容室（図示略）に連設されており、このビジターカード装着口３１８を介してビジターカードをビジターカード収容室に装着可能とされている。
【００２４】
また、ビジターカード収容室にビジターカードが装着された際には、この装着されたビジターカードの先端がビジターカード装着口３１８から突出する態様にて装着されるようになる。また、このビジターカード装着口３１８の前面には、透明カバー部材３１８’が取付けられるようになっており、これによりカードリーダライタ３２７に装着されたビジターカードが、透明カバー部材３１８’を通して視認できるとともに、透明カバー部材３１８’により装着されたビジターカードの抜き取りができない状態とされる。
【００２５】
図３は、カードユニット３の構成を示すブロック図である。カードユニット３は、読み出し手段としてのカードリーダライタ３２７と、制御ユニット３２８と、から主に構成されている。
【００２６】
カードリーダライタ３２７は、前述した会員カードやビジターカードの記録情報の読み出し並びに書き込みを行うとともに、ＨＵＢ８’を介してシステムコントローラ１００とデータ通信可能に接続されており、挿入された会員カードに記録されたカードＩＤや度数等の読み出しを行い、その認証等をシステムコントローラ１００との間で行う。
【００２７】
制御ユニット３２８には、前述した各種ＬＥＤや表示器、スイッチ等の各種電気部品や貨幣受付手段としての紙幣識別ユニット３２２、硬貨識別ユニット３２４、が接続されている。
【００２８】
制御ユニット３２８に接続された各種スイッチのうち、貸出単位変更スイッチ３０６ａは、貸出単位変更ボタン３０６の操作を検知するスイッチであり、端数スイッチ３０８ａは、端数ボタン３０８の操作を検知するスイッチであり、テンキースイッチ３１５ａは、テンキーの操作を検知するスイッチであり、プレイ選択スイッチ３１６ａは、プレイ選択ボタン３１６の操作を検知するスイッチであり、エンタースイッチ３１７ａは、エンターボタン３１７の操作を検知するスイッチである。
【００２９】
また、制御ユニット３２８には、特に図示しないが、接続されたパチンコ機２に設けられる貸出ボタン（パチンコ玉の貸出を行う際に操作されるボタン）や返却ボタン（受付け中の会員カードを返却させる際に操作されるボタン）の操作を検知する貸出スイッチや返却スイッチが接続されている。
【００３０】
制御ユニット３２８に接続された紙幣識別ユニット３２２は、紙幣挿入口３０２に投入された紙幣を取り込んで（受付けて）その真贋や紙幣種別の識別を行う。また、硬貨識別ユニット３２４は、硬貨投入口３０３より投入された硬貨を受付けてその真贋並びに硬貨種別の識別を行う。
【００３１】
制御ユニット３２８は、所定の処理プログラムに従って各種処理（本発明の価値加算手段、第１の使用処理手段、第２の使用処理手段、遊技開始判定手段、遊技終了判定手段、遊技関連情報送信手段を含む）を実行するマイクロコンピュータ（図示略）を含む。
【００３２】
制御ユニット３２８に接続された各種ＬＥＤや表示器は、制御ユニット３２８により制御される。また、制御ユニット３２８は、各種スイッチの検出信号や、紙幣識別ユニット３２２や硬貨識別ユニット３２４による識別信号を受けて各種の制御を行う。
【００３３】
また、制御ユニット３２８は、前述したカードリーダライタ３２７とデータ通信可能に接続されており、各種コマンドや情報の送受を行うとともに、ＨＵＢ８’を介して会員管理コンピュータ１２０とデータ通信可能に接続されており、各種情報の送受を行う。また、制御ユニット３２８は、対応するパチンコ機２と接続されており、後述する貸出処理等に伴って各種信号の送受を行う。
【００３４】
また、制御ユニット３２８には、中継端末４を介して対応するパチンコ機２、並びに当該パチンコ機２に対して供給されたパチンコ玉、すなわちパチンコ機２の払い出しに応じて供給されたパチンコ玉を検出する供給玉検出スイッチ６、当該パチンコ機２から回収されたパチンコ玉、すなわちパチンコ機２に打ち込まれて回収されたパチンコ玉を検出するアウト玉検出スイッチ７、から出力される各種遊技情報、すなわちパチンコ機２の遊技に関連して発生する情報を示す信号を受信する信号受信部（遊技関連情報受信手段）が設けられており、これらパチンコ機２や、供給玉検出スイッチ６、７から出力された各種遊技情報を示す信号が入力されるようになっている。
【００３５】
具体的には、図５に示すように、パチンコ機２に対して供給されたパチンコ玉数を示す供給信号が供給玉検出スイッチ６から出力され、大当中である旨を示す大当中信号、確率変動中である旨を示す確変中信号、始動入賞した旨を示す始動信号がパチンコ機２から出力され、パチンコ機２から回収されたパチンコ玉数を示す打込信号がアウト玉検出スイッチ７から出力されるようになっており、これら出力された信号が、中継端末４を介して制御ユニット３２８に入力されるようになっている。
【００３６】
尚、本実施例では、大当中信号、確変中信号、始動信号、供給信号、打込信号が中継端末４を介してカードユニット３に入力される構成とされているが、例えば、これら各種信号がパチンコ機２、供給玉検出スイッチ６、アウト玉検出スイッチ７から制御ユニット３２８に直接入力される構成としても良い。
【００３７】
また、制御ユニット３２８には、会員遊技者が対応するパチンコ機２において遊技を行っている間の遊技情報を記憶する遊技履歴カウンタが設けられている。
【００３８】
遊技履歴カウンタには、図４に示すように、遊技を行っている会員遊技者の会員ＩＤ、すなわち受付中の会員カードから読み出された会員ＩＤ、来店日（本日の日付）、開始時間（会員カードが受付けられた時間）、カード返却時間（会員カードが返却された時間）、対応するパチンコ機２の会員遊技者が遊技を開始してからの始動回数、大当回数、確率変動回数（確変回数）、打込玉数、払出玉数からなる遊技情報が記憶されており、これら各項目の値のうち、会員ＩＤ、来店日、開始時間、は、会員カードを受付けて遊技の開始が判定された場合に登録され、カード返却時間は会員カードが返却された場合に登録されるとともに、始動回数、大当回数、確率変動回数（確変回数）、打込玉数、払出玉数からなる遊技情報は、前述した大当中信号、確変中信号、始動信号、打込信号、供給信号の受信に応じて逐次最新のデータに更新されるようになっている。具体的には、始動信号を受信する毎に始動回数が１ずつ加算される。また、大当中信号を受信する毎に大当回数が１ずつ加算され、確変中信号を受信することで確変回数が１ずつ加算される。また、打込信号を受信する毎に打込玉数が１ずつ加算され、供給信号を受信する毎に払出玉数が１ずつ加算される。
【００３９】
また、遊技履歴カウンタは、会員カードを受付けて遊技の開始が判定された際にリセットされ、このリセットされた状態から各データが計数されることとなるため、遊技履歴カウンタには、会員カードが受付けられて遊技の開始が判定されてから遊技の終了が判定されるまで、すなわち会員遊技者が遊技を開始してから遊技を終了するまでの対応するパチンコ機２の遊技情報等が記憶されることとなる。
【００４０】
本実施例のカードユニット３は、制御ユニット３２８の制御により会員カード挿入口３１９に挿入された会員カードに対して利用の可／不可を判別する受付処理を行う。
【００４１】
また、受付処理において受付けられた会員カードより読み出された度数が残存する場合であって、パチンコ機２に備えられる貸出ボタンの操作が検出された場合に、対応するパチンコ機２に対して貸出要求を出力し、パチンコ玉の貸出を実施させる貸出処理を行う。
【００４２】
また、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理を行う。
【００４３】
また、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１８に装着されているビジターカードに記録した後、この記録した度数の全てを使用して、対応するパチンコ機２に対して貸出要求を出力し、パチンコ玉の貸出を実施させる入金貸出処理を行う。
【００４４】
また、以前の遊技にて貯蓄した貯蓄玉数を会員管理コンピュータ１２０から入手し、この入手した貯蓄玉数を使用して、対応するパチンコ機に対して払戻要求を出力し、所定数のパチンコ玉の払い戻しを実施させる払戻処理を行う。
【００４５】
また、カードユニット３と１対１に並設されたパチンコ機２が備える返却ボタンが遊技者により操作された場合に、受付け中の会員カードの返却を実施させる返却処理を行う。
【００４６】
このように本実施例のカードユニット３では、会員カードより読み出された度数を使用して対応するパチンコ機２に対してパチンコ玉の貸出を実施させる貸出処理や、現金の投入に基づきビジターカードに記録された度数を使用して対応するパチンコ機２に対してパチンコ玉の貸出を実施させる入金貸出処理を行うことが可能とされており、カードユニット３とは別個に、プリペイドカードユニットや現金玉貸機等の装置を設置する必要がなくなるため、遊技場のスペース、特には遊技機を設置する遊技島のスペースを有効に活用できる。
【００４７】
また、本実施例のカードユニット３では、会員管理コンピュータ１２０から入手した貯蓄玉数を使用して対応するパチンコ機２に対して所定数のパチンコ玉の払い戻しを実施させる払戻処理を行うことが可能とされており、カードユニット３とは別個に、貯玉再プレイユニット等の装置を設置する必要がなくなるため、遊技場のスペース、特には遊技機を設置する遊技島のスペースを有効に活用できる。
【００４８】
また、本実施例のカードユニット３では、図５に示すように、制御ユニット３２８が対応するパチンコ機２等から出力された各種遊技情報を示す信号を受信した際に、受信した情報に該当する遊技情報を会員管理コンピュータ１２０に対して送信する処理を行う。具体的には、制御ユニット３２８が対応するパチンコ機２等から出力された大当情報、確変中信号、始動信号、打込信号、供給信号、を受信する毎に、各々に該当する大当情報（大当りが発生した旨を示す情報）、確変中情報（確率変動状態が発生した旨を示す情報）、始動情報（始動入賞した旨を示す情報）、打込情報（打込玉数を示す情報）、供給情報（払出玉数（供給玉数）を示す情報）を会員管理コンピュータ１２０に対して送信する。
【００４９】
また、本実施例のカードユニット３では、図５に示すように、制御ユニット３２８が前述した貸出処理または入金貸出処理を行った際に、その際の貸出に使用された金額（使用金額）を示す貸出情報を会員管理コンピュータ１２０に対して送信する処理を行う。
【００５０】
また、本実施例のカードユニット３では、後に詳述するが、制御ユニット３２８が、会員カードの受付に基づき対応するパチンコ機２における遊技の開始を判定する処理、及び会員カードの返却後、異なる会員ＩＤの会員カードの受付、または入金貸出処理の実施に基づき対応するパチンコ機２における遊技の終了を判定する処理、を行うとともに、遊技履歴カウンタの登録データに基づいて、遊技の開始時に受付けた会員カードの会員ＩＤと、対応するパチンコ機２の遊技の開始が判定されてから終了が判定されるまでの遊技情報と、からなる遊技履歴を作成し、この作成した遊技履歴を会員管理コンピュータ１２０に対して送信する処理をを行う。また、対応するパチンコ機２における遊技開始の判定がされた場合に、対応するパチンコ機２の台番号を含む遊技開始通知を会員管理コンピュータ１２０に対して送信する処理を行う。
【００５１】
次いで、データ表示装置９について説明すると、図６に示すように、その前面上部位置には、種々の情報が表示可能とされているとともに、対話型の操作を可能とされたタッチパネル式の表示部８５が設けられており、この表示部８５の下方には、会員カードを挿入可能なカード挿入口８６が設けられている。
【００５２】
データ表示装置９には、図７に示すように、表示部８５を構成する表示パネル８７並びに入力パネル８８の動作制御を行うタッチパネルドライバ８９や挿入された会員カードの記録情報の読み出しを行うカードリーダ９１、会員管理コンピュータ１２０とのデータの送受を行うための通信インターフェイス９２、ＣＰＵやＲＡＭ、ＲＯＭ等が搭載され、各部の動作制御を行うための制御部９３、が内蔵されており、データ表示装置９に会員カードを挿入することで、会員カードを所有する遊技者の遊技履歴の閲覧、イベント情報の閲覧、遊技ポイントの照会、等を実施できる。
【００５３】
次いで、本実施例における管理装置としての会員管理コンピュータ１２０について説明すると、該会員管理コンピュータ１２０は、図８に示すように、コンピュータ内部にてデータの送受を行うデータバス１２１に、この会員管理コンピュータ１２０が実施する各種処理（本発明における設定変更手段として機能する処理を含む）を行うＣＰＵ１２２、ワークメモリ等として使用されるＲＡＭ１２３、時刻情報やカレンダ情報を出力するＲＴＣ１２４、磁気ディスクや光磁気ディスクから成る記憶装置１２５、キーボードやマウス等の入力装置１２６、各種情報を表示出力する表示装置１２７、各種情報をプリント出力するプリンタ１２８、システムコントローラ１００とのデータ通信を行う第１通信部１２９、カードユニット３やデータ表示装置９とのデータ通信を行う第２通信部１３０、が接続された通常のコンピュータである。
【００５４】
記憶装置１２５には、会員管理コンピュータ１２０が各種処理（本発明における設定変更手段として機能する処理を含む）を行うための処理内容が記述された処理プログラムに加えて、会員カードを所有する遊技者、すなわち会員遊技者に関する会員情報が登録（記憶）される会員データテーブル（図９（ａ）参照）と、各パチンコ機２の台番号毎に、該当するパチンコ機２の遊技情報及び遊技履歴が登録（記憶）される台別データテーブル（図９（ｂ）参照）と、会員遊技者を特定可能な会員ＩＤ毎に、その遊技者の遊技履歴が登録（記憶）される会員別履歴テーブル（図１０参照）と、から構成される会員管理データベースが記憶されている。
【００５５】
会員データテーブルには、図９（ａ）に示すように、会員カードに対して別個に付与された会員ＩＤ毎に、その時点の貯蓄玉数と、本人確認のための暗証番号と、カード受付時間に応じて加算される遊技ポイントと、会員の氏名（名字並びに名前）、性別、年齢、誕生日、職業、住所からなる個人情報と、から構成される会員情報が登録されており、これら会員データテーブルに登録された登録データのうち、暗証番号や個人情報は表示装置１２６に表示された会員登録／変更画面（図示略）に必要事項の入力または変更が行われることで更新される。また、貯蓄玉数や遊技ポイントは、カードユニット３から受信した情報等に応じて更新される。
【００５６】
また、台別データテーブルは、図９（ｂ）に示すように、各パチンコ機２の台番号毎に、機種名、始動回数、大当回数、確率変動回数（確変回数）、打込玉数、払出玉数、使用金額、からなる該当するパチンコ機２の遊技情報と、遊技を行った客種別（会員遊技者または一般遊技者）毎の始動回数、大当回数、確率変動回数、打込玉数、払出玉数、使用金額、からなる該当するパチンコ機２の遊技履歴と、が登録されており、これら台別データテーブルは、図５に示すように、カードユニット３から送信される大当情報、確変中情報、始動情報、打込情報、供給情報、貸出情報、遊技履歴の受信に応じて逐次最新の情報に更新される。
【００５７】
また、会員別履歴テーブルには、図１０に示すように、会員ＩＤ毎に、その会員ＩＤから特定される会員遊技者の遊技履歴、具体的には、来店日、開始時間、カード返却時間、終了時間、カード受付時間、遊技時間、遊技を行ったパチンコ機２の台番号、機種名、遊技開始から終了までの間の始動回数、大当回数、確率変動回数（確変回数）、打込玉数、払出玉数、使用金額からなる遊技履歴が登録されており、この会員別履歴テーブルは、カードユニット３から受信（取得）した遊技履歴に応じて更新される。
【００５８】
以下本実施例の遊技用システムを構成する各部の動作状況について説明する。
【００５９】
まず、カードユニット３の動作状況、すなわちカードユニット３に搭載された制御ユニット３２８の処理内容を図１１及び図１２に示すフローチャートに基づいて説明する。
【００６０】
まず、カードユニット３の電源投入に基づいて制御ユニット３２８が起動して初期動作を終了した後、会員カードの受付待ち、または貨幣の受付待ちの状態で待機する（Ｓａ１、Ｓａ２）。Ｓａ１、Ｓａ２のステップにおいて貨幣を受付けると、受付けた貨幣金額に基づく入金貸出処理を実施し（Ｓａ３）、再び会員カードの受付待ち、または貨幣の受付待ちの状態で待機する（Ｓａ１、Ｓａ２）。
【００６１】
また、Ｓａ１、Ｓａ２のステップにおいて会員カードを受付けると、対応するパチンコ機２の遊技開始を判定し（Ｓａ４）、遊技履歴カウンタのデータをクリアした後、初期データを登録する（Ｓａ５）。詳しくは、遊技履歴カウンタに、受付けた会員カードから読み出された会員ＩＤ、来店日（本日の日付）、開始時間（現在の時刻）を初期データとして登録する。
【００６２】
次いで、遊技情報を示す信号の受信、貸出要求の検出、貨幣の受付、会員カードの返却を監視する（Ｓａ６、Ｓａ８、Ｓａ１１、Ｓａ１３）。
【００６３】
Ｓａ６、Ｓａ８、Ｓａ１１、Ｓａ１３のステップにおいて遊技情報を示す情報を受信した場合には、受信した遊技情報に応じて遊技履歴カウンタの該当するデータを更新する（Ｓａ７）。また、貸出要求が検出された場合には、貸出処理を行った後（Ｓａ９）、遊技履歴カウンタの使用金額を更新する（Ｓａ１０）。また、貨幣を受付けた場合には、追加入金処理を行う（Ｓａ１２）。
【００６４】
また、Ｓａ６、Ｓａ８、Ｓａ１１、Ｓａ１３のステップにおいてカードが返却された場合には、遊技履歴カウンタにカード返却時間（現在の時刻）を登録した後（Ｓａ１４）、会員カードの受付、遊技情報を示す信号の受信、貨幣の受付を監視する（Ｓａ１５、Ｓａ１６、Ｓａ１８）。
【００６５】
Ｓａ１５、Ｓａ１６、Ｓａ１８のステップにおいて遊技情報を示す情報を受信した場合には、受信した遊技情報に応じて遊技履歴カウンタの該当するデータを更新する（Ｓａ１７）。
【００６６】
また、Ｓａ１５、Ｓａ１６、Ｓａ１８のステップにおいて貨幣を受付けた場合には、対応するパチンコ機２の遊技終了を判定し（Ｓａ１９）、遊技履歴カウンタのデータに基づき遊技履歴を作成する（Ｓａ２０）。詳しくは、会員ＩＤ、すなわち遊技開始の判定の際に受付けられていた会員ＩＤと、来店日、開始時間、カード返却時間、終了時間（現在の時刻）、開始時間とカード返却時間とから算出されるカード受付時間、開始時間と終了時間とから算出される遊技時間、対応する遊技機の台番号、機種名、遊技開始の判定から遊技終了の判定までの始動回数、大当回数、確率変動回数（確変回数）、打込玉数、払出玉数、打込玉数と払出玉数とから算出される差玉、使用金額、からなる遊技履歴を作成する。
【００６７】
次いで、Ｓａ２０のステップにおいて作成した遊技履歴を会員管理コンピュータ１２０に対して送信した後（Ｓａ２１）、入金貸出処理を行い、Ｓａ１、Ｓａ２のステップに移行する。
【００６８】
また、Ｓａ１５、Ｓａ１６、Ｓａ１８のステップにおいて会員カードを受付けた場合には、前回受付けていた会員カードと同一の会員カードであるか、すなわち受付けた会員カードから読み出された会員ＩＤと、遊技履歴カウンタに登録されている会員ＩＤと、が同一であるか、を確認し（Ｓａ２３）、前回受付けていた会員カードと同一の会員カードであると判定した場合には、Ｓａ６、Ｓａ８、Ｓａ１１、Ｓａ１３のステップに移行する。
【００６９】
また、Ｓａ２３のステップにおいて前回受付けていた会員カードと同一の会員カードではない、すなわち異なる会員カードを受付けたと判定した場合には、対応するパチンコ機２の遊技終了を判定し（Ｓａ２４）、Ｓａ２０のステップと同様に、遊技履歴カウンタのデータに基づく遊技履歴を作成し（Ｓａ２５）、作成した遊技履歴を会員管理コンピュータ１２０に対して送信した後（Ｓａ２６）、Ｓａ４のステップに移行する。
【００７０】
このように本実施例のカードユニット３では、制御ユニット３２８が会員カードの受付けた場合に、対応するパチンコ機２における遊技の開始を判定するとともに、会員カードの返却後、異なる会員ＩＤの会員カードを受付けた場合、または貨幣を受付けた場合、すなわち入金貸出処理の実施された場合に、対応するパチンコ機２における遊技の終了を判定し、遊技履歴カウンタの登録データに基づいて、遊技の開始が判定されてから終了が判定されるまでの遊技履歴を作成し、この作成した遊技履歴を会員管理コンピュータ１２０に対して送信するようになっている。
【００７１】
次いで、会員管理コンピュータ１２０の動作状況、すなわちＣＰＵ１２２が行う処理に基づく制御状況を図１３に基づいて説明する。
【００７２】
会員管理コンピュータ１２０が、カードユニット３から遊技開始通知を受信した場合、すなわちカードユニット３において対応するパチンコ機２における遊技の開始が判定された場合には、受信した遊技開始通知に基づき台別データテーブルの該当する台番号のデータの更新、すなわち当該台番号の遊技履歴を作成するためのデータ更新を行う。
【００７３】
また、カードユニット３から遊技履歴を受信した場合、すなわちカードユニット３において対応するパチンコ機２における遊技の終了が判定された場合には、受信した遊技履歴に基づき台別データテーブルの該当する台番号のデータの更新、すなわち当該台番号の遊技履歴を作成するためのデータ更新を行う。
【００７４】
次いで、受信した遊技履歴に含まれるカード受付時間に応じて、遊技ポイントを付与し、付与した遊技ポイントを、会員データテーブルの該当する会員ＩＤの遊技ポイントに加算する処理を行うとともに、受信した遊技履歴に含まれる会員ＩＤと対応付けて、この受信した遊技履歴を会員別履歴テーブルに登録する。
【００７５】
このように本実施例の会員管理コンピュータ１２０では、カードユニット３から受信した遊技履歴が、この遊技履歴に含まれる会員ＩＤに対応付けて会員別履歴テーブルに登録されるようになっており、各会員遊技者毎の遊技履歴が収集されるようになっている。
【００７６】
また、本実施例では、受信した遊技履歴に含まれるカード受付時間、すなわち、会員遊技者が会員カードをカードユニット３に挿入した後、返却せずに遊技を行った時間に応じて、遊技ポイントが付与されるようになっている。遊技者はこれら遊技ポイントを、例えば、遊技場が提供するサービスの対価として用いることができるようにすることで、会員遊技者、すなわち会員カードを所有する遊技者に対してより付加価値の高いサービスを提供できるとともに、会員カードを受付けた状態で遊技を行うことの動機付けにもなるため、カードユニット３においてより正確に遊技の開始及び終了を判定することができる。
【００７７】
また、本実施例の会員管理コンピュータ１２０では、所定の操作を行うことにより表示装置１２７に遊技ポイント設定画面（図１４参照）が表示されるようになっており、この遊技ポイント設定画面において遊技ポイントが付与されるのに必要なカード受付時間（例えば、１０分、３０分、６０分等）、及びカード受付時間に応じて付与されるポイント数（例えば、１Ｐｔ．、５Ｐｔ．、１０Ｐｔ．等）を設定入力することにより、カード受付時間に応じて付与すべきポイント数を設定変更することができるようになっている。すなわちカード受付時間に応じて付与すべきポイント数を遊技ポイントの運用に応じて遊技場側で任意に設定できるようになっている。
【００７８】
また、本実施例の会員管理コンピュータ１２０では、所定の表示出力操作が行われることにより、会員別履歴テーブルの登録状況、すなわち会員遊技者毎の遊技履歴の一覧が、図１５に示す会員別履歴画面として表示装置１２７に表示出力されるようになっている。更に、所定のプリント出力操作が行われることにより、会員別履歴テーブルの登録データの一覧がプリンタ１２８にてプリント出力されるようになっている。
【００７９】
このように本実施例の会員管理コンピュータ１２０では、会員別履歴テーブルの登録状況、すなわち会員遊技者毎の遊技履歴の一覧が、表示出力及びプリント出力できるようになっており、遊技場側で、各遊技者毎の遊技履歴を把握できるようになっている。
【００８０】
次いで、データ表示装置９の動作状況、及びそれに伴う会員管理コンピュータ１２０の動作状況を、図１６（ａ）に基づいて説明する。
【００８１】
データ表示装置９では、会員カードが受付けられ、受付けた会員カードを所有する遊技者の遊技履歴の閲覧を希望する旨の入力がなされることにより、会員管理コンピュータ１２０に対して該当する遊技履歴を要求し、この要求に基づき会員管理コンピュータ１２０から返信された遊技履歴を、図１６（ｂ）に示す遊技履歴画面として、データ表示装置９の表示部８５に表示するようになっており、会員カードを所有する遊技者が自らの遊技履歴を閲覧できるようになっている。
【００８２】
具体的には、受付けた会員カードを所有する遊技者により閲覧を希望する遊技履歴（１回前〜５回前まで）が選択入力されることにより、選択された遊技履歴の要求が会員管理コンピュータ１２０に対して送信する。これに基づき会員管理コンピュータ１２０では、要求された遊技履歴を会員用顧客別履歴テーブルより抽出し、データ表示装置９に対して返信する。これに基づきデータ表示装置９では、返信された遊技履歴に基づいて、来店日、遊技を行った機種名、台番号、遊技の開始時間及び終了時間、その間の始動回数、大当回数、確率変動回数、打込玉数、払出玉数、差玉数、使用金額が表示される表示データを生成し、表示部８５に表示する処理を行うようになっている。
【００８３】
このように本実施例では、会員カードを所有する遊技者がデータ表示装置９において、自らの遊技履歴を閲覧できるため、会員遊技者に対してより付加価値の高いサービスを提供することができる。尚、本実施例では、データ表示装置９において会員遊技者が自らの遊技履歴を閲覧できる構成とされているが、例えば、カードユニットに表示器を搭載し、この表示器にて遊技履歴を閲覧できるようにしても良い。
【００８４】
以上説明したように、本実施例の遊技用システムでは、会員カードを所有する会員遊技者が遊技を行う場合には、会員カードの記録情報により特定される度数を使用してパチンコ玉の貸出を受けて遊技を行うこととなり、遊技を開始する場合には、会員カードがカードユニット３に受付けられることとなるため、会員カードを受付けたときが会員遊技者による遊技の開始と判定できる。また、受付けた会員カードが返却された後、異なる会員ＩＤが記録された会員カードを受付けた場合に、その時点で返却された会員カードを所有する会員遊技者による遊技の終了を判定できる。また、受付けた会員カードが返却された後、会員カードを受付けずに貨幣を受付けた場合、すなわち会員カードを所有しない遊技者が入金貸出処理によりパチンコ玉の貸出を受けて遊技を行った場合にも、その時点で返却された会員カードを所有する会員遊技者による遊技の終了を判定できる。これらの理由から、会員カードを所有する会員遊技者の遊技の開始及び終了を正確に判定できることとなり、遊技の開始から終了までの遊技履歴を会員カードから読み出された会員ＩＤに対応付けて会員管理コンピュータ１２０の会員別履歴テーブルに記憶することで、会員カードを所有する会員遊技者毎に正確な遊技履歴を収集することができる。
【００８５】
また、本実施例の遊技用システムでは、各パチンコ機の遊技により発生する遊技情報を示す信号を、対応するカードユニット３が受信し、カードユニット３では、この受信した信号に応じた遊技情報やこれら受信した信号に基づく遊技履歴を会員管理コンピュータ１２０に対して送信するようになっており、会員管理コンピュータ１２０では、同一のシステムを構成するカードユニット３から各パチンコ機２の遊技情報や遊技履歴を取得することが可能となるため、例えば、会員管理コンピュータ１２０が各パチンコ機２の遊技情報や遊技履歴を既設のホールコンピュータ等から取得する場合に比較してシステムの構成を簡素化できる。
【００８６】
また、本実施例の遊技用システムでは、会員別履歴テーブルに登録される各遊技者毎の遊技履歴として遊技者が貸出処理に使用した使用金額が、登録されるようになっており、遊技場側で使用金額の多い遊技者、すなわち優良顧客を把握できるようになるため、例えば、使用金額の多い遊技者に対して、それに見合った適切なサービスを提供することが可能となり、優良顧客の固定客化を図ることができる。
【００８７】
また、本実施例の遊技用システムでは、会員別履歴テーブルに登録される各遊技者毎の遊技履歴として遊技者が遊技を行った遊技時間、すなわち遊技の開始が判定されてから遊技の終了が判定されるまでの時間が、登録されるようになっており、遊技場側で遊技時間の多い遊技者、すなわち優良顧客を把握できるようになるため、例えば、遊技時間の多い遊技者に対して、それに見合った適切なサービスを提供することが可能となり、優良顧客の固定客化を図ることができる。
【００８８】
また、本実施例の遊技用システムでは、遊技開始の判定及び遊技終了の判定をカードユニット３が行うとともに、遊技開始が判定されてから遊技終了が判定されるまでの期間に対応するパチンコ機２等から受信した遊技情報を示す信号の受信等に基づき遊技履歴を作成するようになっており、会員管理コンピュータ１２０においては、カードユニット３から送信された遊技履歴を登録するのみで、各遊技者毎の遊技履歴が収集される構成とされているため、会員管理コンピュータ１２０の処理負荷を大幅に軽減できる。
【００８９】
次いで、本発明の第２の実施例を図１７及び図１８に基づいて説明する。尚、本実施例の遊技用システムでは、カードユニット３及び会員管理コンピュータ１２０の動作内容以外は、第１の実施例とほぼ同一であるため、同一の符号を用いることでここでの詳細な説明は省略する。
【００９０】
本実施例のカードユニット３では、第１の実施例と異なり、遊技開始及び遊技終了の判定や、遊技履歴の作成等は行わないのに対して、図１７に示すように、会員カードを受付けた際には、受付けた会員カードの会員ＩＤ、対応するパチンコ機２の台番号を含む会員カード受付通知を会員管理コンピュータ１２０に対して送信する処理、会員カードを返却した際には、返却した会員カードの会員ＩＤを含む会員カード返却通知を会員管理コンピュータ１２０に対して送信する処理、貨幣を受付けて入金貸出処理を行った場合には、対応するパチンコ機２の台番号を含む入金貸出通知を会員管理コンピュータ１２０に対して送信する処理を、各々行うようになっている。
【００９１】
次いで、本実施例の会員管理コンピュータ１２０が遊技開始の判定及び遊技終了の判定、遊技履歴の作成を行う際の動作状況、すなわちＣＰＵ１２２の処理状況を図１８のフローチャートに基づいて説明する。
【００９２】
まず、カードユニット３からの会員カード受付通知の受信待ちの状態で待機する（Ｓｂ１）。Ｓｂ１のステップにおいて会員カード受付通知を受信した場合、すなわち会員カードが受付けられた場合には、遊技開始を判定し（Ｓｂ２）、会員ＩＤ及び台番号に対応付けて初期データを登録する（Ｓｂ３）。具体的には、来店日（本日の日付）、開始時間（現在の時刻）を取得するとともに、会員カード受付通知に含まれる台番号のパチンコ機２の機種名、現時点の始動回数、大当回数、確率変動回数（確変回数）、打込玉数、払出玉数、使用金額を、台別データテーブルから取得し、これら取得したデータと会員カード受付通知に含まれる会員ＩＤ及び台番号を一時記憶テーブルに記憶する。
【００９３】
次いで、会員カード返却通知の受信待ちの状態となり（Ｓｂ４）、この状態で会員カード返却通知を受信した場合、すなわち会員カードが返却された場合には、前述した一時記憶テーブルにカード返却時間（現在の時刻）を登録した後（Ｓｂ５）、会員カード受付通知または入金貸出通知の受信待ちの状態で待機する（Ｓｂ６、Ｓｂ７）。
【００９４】
Ｓｂ６、Ｓｂ７のステップにおいて入金貸出通知を受信した場合、すなわち現金が受付けられた場合には、遊技終了を判定し（Ｓｂ１２）、一時記憶テーブルに登録されている初期データ、及び台別データテーブルから取得した該当する台番号（入金貸出通知に含まれる台番号）の現在のデータに基づき遊技履歴を作成し（Ｓｂ１３）、作成した遊技履歴を会員別履歴テーブルの該当する会員ＩＤに対応付けて登録した後（Ｓｂ１４）、Ｓｂ１のステップに移行する。
【００９５】
Ｓｂ６、Ｓｂ７のステップにおいて会員カード受付通知を受信した場合には、前回受付けていた会員カードと同一の会員カードであるか、すなわち会員カード受付通知に含まれる会員ＩＤと一時記憶テーブルに登録されている会員ＩＤとを比較し一致するかを確認し（Ｓｂ８）、前回受付けていた会員カードと同一の会員カードであると判定した場合には、Ｓｂ４のステップに移行する。
【００９６】
また、Ｓｂ８のステップにおいて前回受付けていた会員カードと同一の会員カードではない、すなわち異なる会員カードを受付けたと判定した場合には、遊技終了を判定し（Ｓｂ９）、一時記憶テーブルに登録されている初期データ、及び台別データテーブルから取得した該当する台番号の現在のデータに基づき遊技履歴を作成し（Ｓｂ１０）、作成した遊技履歴を会員別履歴テーブルの該当する会員ＩＤに対応付けて登録した後（Ｓｂ１１）、Ｓｂ２のステップに移行する。
【００９７】
このように本実施例の会員管理コンピュータ１２０では、カードユニット３より会員カード受付通知を受信した場合に、遊技の開始を判定するとともに、会員カードの返却通知の受信後、会員カード受付通知を受信して異なる会員カードが受付けられたと判定した場合、または入金貸出通知を受信して貨幣が受付けられたと判定した場合に、遊技の終了を判定し、対応するパチンコ機２の初期データ及び終了時のデータに基づいて、遊技の開始が判定されてから終了が判定されるまでの遊技履歴を作成し、この作成した遊技履歴が該当する会員ＩＤに対応付けて会員別履歴テーブルに登録されるようになっている。
【００９８】
以上説明したように、本実施例の遊技用システムでは、会員カードを所有する会員遊技者が遊技を行う場合には、会員カードの記録情報により特定される度数を使用してパチンコ玉の貸出を受けて遊技を行うこととなり、遊技を開始する場合には、会員カードがカードユニット３に受付けられることとなるため、会員カードを受付けたときが会員遊技者による遊技の開始と判定できる。また、受付けた会員カードが返却された後、異なる会員ＩＤが記録された会員カードを受付けた場合に、その時点で返却された会員カードを所有する会員遊技者による遊技の終了を判定できる。また、受付けた会員カードが返却された後、会員カードを受付けずに貨幣を受付けた場合、すなわち会員カードを所有しない遊技者が入金貸出処理によりパチンコ玉の貸出を受けて遊技を行った場合にも、その時点で返却された会員カードを所有する会員遊技者による遊技の終了を判定できる。これらの理由から、会員カードを所有する会員遊技者の遊技の開始及び終了を正確に判定できることとなり、遊技の開始から終了までの遊技履歴を会員カードから読み出された会員ＩＤに対応付けて会員管理コンピュータ１２０の会員別履歴テーブルに記憶することで、会員カードを所有する会員遊技者毎に正確な遊技履歴を収集することができる。
【００９９】
また、本実施例の遊技用システムでは、遊技開始の判定及び終了の判定、遊技開始が判定されてから遊技終了が判定されるまでの期間の遊技履歴の作成が、会員管理コンピュータ１２０にて行われるようになっており、これらの機能を個々のカードユニット３に対して搭載する必要がなくなるため、遊技用システムの導入コストを軽減できる。
【０１００】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１０１】
例えば、前記実施例の遊技用システムでは、遊技用装置として会員カードの記録情報に基づく玉貸機能及び貯蓄玉数の払戻機能と貨幣の受付に基づく玉貸機能とを備えるカードユニット３を適用しているが、本発明はこれに限定されるものではなく、少なくとも遊技用装置として会員カードの記録情報に基づく玉貸機能と貨幣の受付に基づく玉貸機能とを備える遊技用装置であれば良い。
【０１０２】
また、前記実施例では、第２の使用処理手段の機能、すなわち入金貸出処理として受付けた貨幣金額に相当する度数をビジターカードに記録した後、再び読み出してパチンコ玉を貸し出す機能を適用しているが、本発明はこれに限定されるものではなく、例えば、第２の使用処理手段の機能として受付けた貨幣金額に相当する玉数のパチンコ玉を直接貸し出す機能を適用しても良い。尚、この場合には、貸し出されるパチンコ玉そのものが本発明の遊技用有価価値に該当する。
【０１０３】
また、前記実施例では、記録媒体（会員カード）として非接触型のＩＣカードを用いているが、本発明はこれに限定されるものではなく、これを磁気カードや接触型のＩＣカードとしても良いし、更には識別符号を用いて記録情報を特定できる場合等には、記録媒体を特定可能な識別符号等の情報を少なくとも読み取り可能に記録できるものであれば良く、例えばバーコード等の所定の情報記録シンボル等が読み取り可能にプリントされた記録媒体等であっても良い。
【０１０４】
また前記実施例においては、遊技機の一例としてパチンコ玉を用いて遊技を行う通常のパチンコ機を適用しているが、本発明はこれに限定されるものではなく、その他の遊技機、例えばメダルやパチンコ玉を用いて遊技を行うスロットマシンやパチンコ玉が内部で循環する循環式パチンコ機や、メダルやパチンコ玉を用いることなくクレジットを用いて遊技を行う完全クレジット式のスロットマシン等の遊技機を適用しても良い。更には、これらの遊技機を併用して適用しても良い。
【０１０５】
前記実施例における各要素は、本発明に対して以下のように対応している。
【０１０６】
本発明の請求項１は、遊技機（パチンコ機２）に対応して設けられ、遊技者を特定可能な遊技者特定情報（会員ＩＤ）及び遊技に使用可能な遊技用有価価値（度数）の大きさを特定可能な情報が記録された記録媒体（会員カード）を受付けて該記録媒体（会員カード）の記録情報を読み出す読み出し手段（カードリーダライタ３２７）と、貨幣を受付ける貨幣受付手段（紙幣識別ユニット３２２、硬貨識別ユニット３２４）と、前記記録媒体（会員カード）の受付中に貨幣を受付けたときに、該受付けた貨幣の金額に相当する前記遊技用有価価値（度数）の大きさを前記受付中の記録媒体（会員カード）から読み出された記録情報により特定される前記遊技用有価価値（度数）の大きさに加算する処理を行う価値加算手段（制御ユニット３２８（マイクロコンピュータ）、処理プログラム（追加入金処理））と、前記記録媒体（会員カード）から読み出された記録情報により特定される遊技用有価価値（度数）の大きさの範囲内における所定の大きさの前記遊技用有価価値（度数）を対応する遊技機（パチンコ機２）の遊技に使用させるための処理を行う第１の使用処理手段（制御ユニット３２８（マイクロコンピュータ）、処理プログラム（貸出処理））と、前記記録媒体（会員カード）の受付中以外に貨幣を受付けたときに、該受付けた貨幣の金額に相当する大きさの前記遊技用有価価値（度数）を対応する遊技機（パチンコ機２）の遊技に使用させるための処理を行う第２の使用処理手段（制御ユニット３２８（マイクロコンピュータ）、処理プログラム（入金貸出処理））と、を備える遊技用装置（カードユニット３）と、前記遊技用装置（カードユニット３）において前記記録媒体（会員カード）が受付けられたときに、対応する遊技機（パチンコ機２）における遊技の開始を判定する遊技開始判定手段（制御ユニット３２８（マイクロコンピュータ）、処理プログラム）と、前記遊技用装置（カードユニット３）において受付中の記録媒体（会員カード）が返却された後、該返却された記録媒体（会員カード）と異なる遊技者特定情報（会員ＩＤ）が記録された記録媒体（会員カード）が受付けられたとき、または前記受付中の記録媒体（会員カード）が返却された後、前記記録媒体（会員カード）が受付けられる前に貨幣が受付けられたとき、に対応する遊技機（パチンコ機２）における遊技の終了を判定する遊技終了判定手段（制御ユニット３２８（マイクロコンピュータ）、処理プログラム）と、前記遊技開始判定手段（制御ユニット３２８（マイクロコンピュータ）、処理プログラム）が前記遊技機（パチンコ機２）における遊技の開始を判定してから前記遊技終了判定手段（制御ユニット３２８（マイクロコンピュータ）、処理プログラム）が遊技の終了を判定するまでの期間に該遊技機（パチンコ機２）における遊技に関連して発生した遊技関連情報（遊技情報（遊技履歴））を取得し、該取得した遊技関連情報（遊技情報（遊技履歴））を、その期間に前記遊技用装置（カードユニット３）において受付けられた前記記録媒体（会員カード）から読み出された前記遊技者特定情報（会員ＩＤ）と対応付けて記憶する遊技者関連情報記憶手段（会員管理データベース（会員別遊技履歴テーブル）を備える管理装置（会員管理コンピュータ１２０）と、を備える。
【０１０７】
本発明の請求項２は、前記遊技用装置（カードユニット３）は、対応する遊技機（パチンコ機２）の前記遊技関連情報（遊技情報）を受信する遊技関連情報受信手段（信号受信部）と、該遊技関連情報受信手段（信号受信部）にて受信した前記遊技関連情報（遊技情報（遊技履歴））を前記管理装置（会員管理コンピュータ１２０）に対して送信する遊技関連情報送信手段（制御ユニット３２８（マイクロコンピュータ）、処理プログラム（遊技情報（遊技履歴）の送信処理））と、を備える。
【０１０８】
本発明の請求項３は、遊技者関連情報記憶手段（会員管理データベース（会員別遊技履歴テーブル）は、前記遊技開始判定手段（制御ユニット３２８（マイクロコンピュータ）、処理プログラム）が前記遊技機（パチンコ機２）における遊技の開始を判定してから前記遊技終了判定手段（制御ユニット３２８（マイクロコンピュータ）、処理プログラム）が遊技の終了を判定するまでの期間に前記遊技用装置（カードユニット３）の前記第１の使用処理手段（制御ユニット３２８（マイクロコンピュータ）、処理プログラム（貸出処理））により遊技に使用された前記遊技用有価価値（度数）の大きさを前記遊技関連情報（遊技情報（遊技履歴））として取得し、その期間に前記遊技用装置（カードユニット３）において受付けられた前記記録媒体（会員カード）から読み出された前記遊技者特定情報（会員ＩＤ）と対応付けて記憶する。
【０１０９】
本発明の請求項４は、遊技者関連情報記憶手段（会員管理データベース（会員別遊技履歴テーブル）は、前記遊技開始判定手段（制御ユニット３２８（マイクロコンピュータ）、処理プログラム）が前記遊技機（パチンコ機２）における遊技の開始を判定してから前記遊技終了判定手段（制御ユニット３２８（マイクロコンピュータ）、処理プログラム）が遊技の終了を判定するまでの遊技時間を前記遊技関連情報（遊技情報（遊技履歴））として取得し、その期間に前記遊技用装置（カードユニット３）において受付けられた前記記録媒体（会員カード）から読み出された前記遊技者特定情報（会員ＩＤ）と対応付けて記憶する。
【０１１０】
本発明の請求項５は、前記管理装置（会員管理コンピュータ１２０）は、前記遊技開始判定手段（制御ユニット３２８（マイクロコンピュータ）、処理プログラム）が前記遊技機（パチンコ機２）における遊技の開始を判定してから前記遊技終了判定手段（制御ユニット３２８（マイクロコンピュータ）、処理プログラム）が遊技の終了を判定するまでの時間のうち、前記遊技用装置（カードユニット３）において前記記録媒体が受付けられてから、該記録媒体（会員カード）が返却されるまでの受付時間（カード受付時間）が所定値に到達した場合に、所定の来店価値（遊技ポイント）を付与する来店価値付与手段（会員管理データベース（会員データテーブル））を備える。
【０１１１】
本発明の請求項６は、前記管理装置（会員管理コンピュータ１２０）は、前記所定値を設定変更する設定手段（遊技ポイント設定画面、ＣＰＵ１２２、処理プログラム）を備える。
【０１１２】
【発明の効果】
本発明は次の効果を奏する。
【０１１３】
（ａ）請求項１の発明によれば、記録媒体を所有する遊技者が遊技を行う場合には、記録媒体の記録情報により特定される遊技用有価価値を使用して遊技を行うこととなり、遊技を開始する場合には、記録媒体が受付けられることとなるため、記録媒体を受付けたときが遊技の開始と判定できる。また、受付けた記録媒体が返却された後、異なる遊技者特定情報が記録された記録媒体を受付けた場合に、その時点で返却された記録媒体を所有する遊技者による遊技の終了を判定できる。また、受付けた記録媒体が返却された後、記録媒体を受付けずに貨幣を受付けた場合、すなわち記録媒体を所有しない遊技者が遊技を行った場合にも、その時点で返却された記録媒体を所有する遊技者による遊技の終了を判定できる。これらの理由から、記録媒体を所有する遊技者の遊技の開始及び終了を正確に判定できることとなり、遊技の開始から終了までの遊技関連情報を記録媒体から読み出された遊技者特定情報に対応付けて記憶することで、記録媒体を所有する遊技者毎に正確な遊技履歴を収集することができる。
【０１１４】
（ｂ）請求項２の発明によれば、各遊技機の遊技関連情報が対応する遊技用装置により収集され、管理装置に対して出力されることとなり、管理装置では、同一のシステムから遊技関連情報を取得することが可能となるため、例えば、管理装置が遊技関連情報を既設のホールコンピュータ等から取得する場合に比較してシステムの構成を簡素化できる。
【０１１５】
（ｃ）請求項３の発明によれば、使用金額の多い遊技者、すなわち優良顧客を把握できるため、例えば、使用金額の多い遊技者に対してそれに見合った適切なサービスを提供することが可能となり、優良顧客の固定客化を図ることができる。
【０１１６】
（ｄ）請求項４の発明によれば、遊技時間の長い遊技者、すなわち優良顧客を把握できるため、例えば、遊技時間の長い遊技者に対してそれに見合った適切なサービスを提供することが可能となり、優良顧客の固定客化を図ることができる。
【０１１７】
（ｅ）請求項５の発明によれば、記録媒体を所有する遊技者に対してより付加価値の高いサービスを提供できるうえに、記録媒体を受付けた状態で遊技を行うことの動機付けにもなるため、より正確に遊技の開始及び終了を判定することができる。
【０１１８】
（ｆ）請求項６の発明によれば、来店価値が付与されるのに必要な時間を遊技場側で任意に設定できる。
【図面の簡単な説明】
【図１】本発明の第１の実施例における遊技用システムの構成を示す図である。
【図２】本発明の第１の実施例において用いたパチンコ機並びにカードユニットの正面図である。
【図３】本発明の第１の実施例におけるカードユニットの構成を示すブロック図である。
【図４】本発明の第１の実施例のカードユニットに設けられた遊技履歴カウンタを示す図である。
【図５】本発明の第１の実施例におけるパチンコ機から中継端末を介してカードユニットに出力される信号及びカードユニットから会員管理コンピュータ１２０に対して送信される情報を示す図である。
【図６】本発明の第１の実施例において用いたデータ表示装置の外観図である。
【図７】本発明の第１の実施例におけるデータ表示装置の構成を示すブロック図である。
【図８】本発明の実施例における会員管理コンピュータの構成を示すブロック図である。
【図９】（ａ）、（ｂ）は、本発明の第１の実施例に用いた会員管理コンピュータにおける会員管理ＤＢを構成する会員データテーブル、台別データテーブルの登録状況を示す図である。
【図１０】本発明の第１の実施例に用いた会員管理コンピュータにおける会員管理ＤＢを構成する会員別履歴テーブルの登録状況を示す図である。
【図１１】本発明の第１の実施例におけるカードユニットの制御内容を示すフローチャートである。
【図１２】本発明の第１の実施例におけるカードユニットの制御内容を示すフローチャートである。
【図１３】本発明の第１の実施例におけるカードユニットからの情報に基づく会員管理コンピュータの動作状況を示す図である。
【図１４】本発明の第１の実施例における会員管理コンピュータに表示される遊技ポイント設定画面を示す図である。
【図１５】本発明の第１の実施例における会員管理コンピュータに表示される会員別履歴画面を示す図である。
【図１６】（ａ）は、本発明の第１の実施例におけるデータ表示装置と会員管理コンピュータ１２０との間のデータのやりとりを示す図であり、（ｂ）は、データ表示装置に表示される遊技履歴画面を示す図である。
【図１７】本発明の第２の実施例における遊技用システムに適用されたカードユニットから会員管理コンピュータに対して送信される情報を示す図である。
【図１８】本発明の第２の実施例における遊技用システムに適用された会員管理コンピュータが行う制御内容を示すフローチャートである。
【符号の説明】
２　　　　カードリーダ式パチンコ機
３　　　　カードユニット
４　　　　中継端末
６　　　　供給玉検出スイッチ
７　　　　アウト玉検出スイッチ
８　　　　通信ケーブル
８’　　　ＨＵＢ
９　　　　データ表示装置
１１　　　通信回線網
８５　　　表示部
８６　　　カード挿入口
８７　　　表示パネル
８８　　　入力パネル
８９　　　タッチパネルドライバ
９１　　　カードリーダ
９２　　　通信インターフェイス
９３　　　制御部
１００　　システムコントローラ
１２０　　会員管理コンピュータ
１２１　　データバス
１２２　　ＣＰＵ
１２３　　ＲＡＭ
１２４　　記憶装置
１２５　　入力装置
１２６　　表示装置
１２７　　プリンタ
１２８　　通信部
３０１　　多機能表示部
３０１ａ　多機能ＬＥＤ
３０２　　紙幣挿入口
３０３　　硬貨投入口
３０４　　硬貨返却ボタン
３０５　　変更可能表示部
３０５ａ　変更可能ＬＥＤ
３０６　　貸出単位変更ボタン
３０６ａ　貸出単位変更スイッチ
３０７　　貸出単位表示部
３０７ａ　貸出単位表示器
３０８　　端数ボタン
３０８ａ　端数スイッチ
３０９　　度数表示部
３０９ａ　度数表示器
３１１　　方向指示表示部
３１１ａ　方向指示ＬＥＤ
３１２　　挿入中表示部
３１２ａ　挿入中ＬＥＤ
３１３　　硬貨返却口
３１４　　会員カード用表示部
３１４ａ　会員カード用表示器
３１５　　テンキー
３１５ａ　テンキースイッチ
３１６　　プレイ選択ボタン
３１６ａ　プレイ選択スイッチ
３１７　　エンターキー
３１７ａ　エンターキースイッチ
３１８　　ビジターカード装着口
３１８’　透明カバー部材
３１９　　会員カード挿入口
３２２　　紙幣識別ユニット
３２４　　硬貨識別ユニット
３２７　　カードリーダライタ
３２８　　制御ユニット
【図１】
2004105500.tif 000003
【図２】
2004105500.tif 000004
【図３】
2004105500.tif 000005
【図４】
2004105500.tif 000006
【図５】
2004105500.tif 000007
【図６】
2004105500.tif 000008
【図７】
2004105500.tif 000009
【図８】
2004105500.tif 000010
【図９】
2004105500.tif 000011
【図１０】
2004105500.tif 000012
【図１１】
2004105500.tif 000013
【図１２】
2004105500.tif 000014
【図１３】
2004105500.tif 000015
【図１４】
2004105500.tif 000016
【図１５】
2004105500.tif 000017
【図１６】
2004105500.tif 000018
【図１７】
2004105500.tif 000019
【図１８】
2004105500.tif 000020